(57)【要約】【課題】繰り出された印刷テープの先端部に貼着する固定テープの、フリーとなる他端部が、固定装置や他の装置などに貼着してしまうという課題の少なくとも一部を解決するためになされたものである。【解決手段】テープカートリッジ組立装置１００は、繰り出された印刷テープ１０に対し、固定テープ２０が貼着される印刷テープ１０の面と逆側の面方向から送風し、第２送風部１３０は、固定テープ２０の他端部（隣接側貼着部２０ｂ）に対し、固定テープ２０が貼着される印刷テープ１０の面方向から送風し、さらに、第１送風部１１０で送風される印刷テープ１０を受ける受部１２０と、第２送風部１３０で送風される隣接側貼着部２０ｂを、受部１２０との間に、固定テープ２０の一端部（先端側貼着部２０ａ）が貼着される印刷テープ１０の逆側の面に、折り返す形態で挟み込み、押圧して貼着する押圧部１４０有して構成される。【選択図】図３
2008308305.tif 000002
【特許請求の範囲】
【請求項１】
テープカートリッジに印刷テープを収容した状態で、前記テープカートリッジの外部に繰り出された前記印刷テープと、前記印刷テープの先端部に一端部が貼着されて他端部がフリーとなる前記印刷テープのほぐれ防止用の固定テープとに対し、
繰り出された前記印刷テープと前記固定テープとの一方の面方向から送風する第１送風部と、他方の面方向から送風する第２送風部と、を有し、
前記固定テープの前記他端部を、前記固定テープの前記一端部が貼着される前記印刷テープの逆側の面に折り返すことを特徴とするテープカートリッジ組立装置。
【請求項２】
請求項１に記載のテープカートリッジ組立装置であって、
前記第１送風部と前記第２送風部とは、送風位置がずれるように配設されていることを特徴とするテープカートリッジ組立装置。
【請求項３】
請求項１または請求項２に記載のテープカートリッジ組立装置であって、
前記第１送風部は、繰り出された前記印刷テープに対し、前記固定テープが貼着される前記印刷テープの面と逆側の面方向から送風し、
前記第２送風部は、前記固定テープの前記他端部に対し、前記固定テープが貼着される前記印刷テープの面方向から送風し、
さらに、前記第１送風部で送風される前記印刷テープを受ける受部と、
前記第２送風部で送風される前記他端部を、前記受部との間に、前記固定テープの前記一端部が貼着される前記印刷テープの逆側の面に、折り返して挟み込み、押圧して貼着する押圧部と、を有して構成されることを特徴とするテープカートリッジ組立装置。
【請求項４】
請求項３に記載のテープカートリッジ組立装置であって、
前記固定テープの折り返し時に、前記印刷テープの繰り出し方向で、前記印刷テープより前方から、前記固定テープに向かって前記押圧部を移動させる移動部と、
前記固定テープの前記他端部を前記受部との間に挟み、前記折り返すために前記押圧部を回転させる回転部と、を有して構成されることを特徴とするテープカートリッジ組立装置。
【請求項５】
請求項４に記載のテープカートリッジ組立装置であって、
前記受部の受面は、前記印刷テープの前記繰り出し方向に対し、前記印刷テープの面との距離を拡大する傾きを有していることを特徴とするテープカートリッジ組立装置。
【発明の詳細な説明】
【技術分野】
【０００１】
本発明は、テープカートリッジに印刷テープを収容した状態で、テープカートリッジの外部に繰り出された印刷テープと、印刷テープの先端部に一端部が貼着されて他端部がフリーとなる印刷テープのほぐれ防止用の固定テープとに対するテープカートリッジ組立装置に関する。
【背景技術】
【０００２】
従来、テープカートリッジの組み立てにおいて、テープカートリッジに収容される前の印刷テープは、テープコアに巻回され、その最外周となる印刷テープの先端部と、先端部の隣接部とに渡って、ほぐれ防止用の固定テープを貼着（固定）することにより、巻回された印刷テープのほぐれを防止している。
【０００３】
このような、印刷テープをテープカートリッジ（詳細には、カートリッジケースを構成する下ケース）に収容する工程において、最初に、隣接部を固定している固定テープ部分（固定テープの他端部）を剥ぐ。これにより、固定テープは、一端部が印刷テープの先端部に貼着し、他端部がフリーの状態となる。次に、このような状態の固定テープと共に印刷テープを、テープカートリッジの送出口（詳細には、カートリッジケースを構成する下ケースの送出口）から繰り出して印刷テープを下ケースに収容する。その後、カートリッジケースを構成する上ケースを下ケースに嵌合する。このような工程は、略自動化された組立ラインで行なわれる。なお、印刷テープを収容する前工程で、インクリボンやプラテンローラなどのテープカートリッジを構成するための必要な部品は組込まれている。
【０００４】
そして、次工程では、テープカートリッジに収容されて繰り出されている印刷テープに対し、ハサミ形式のカッタを用いて、送出口から所定の距離となる位置で印刷テープを切断する。なお、印刷テープを切断する工程では、印刷テープを安定してカットできるように、繰り出された印刷テープを所定の位置（カッタでカットする位置）となるように挟み込んで固定する固定装置が用いられている。
【発明の開示】
【発明が解決しようとする課題】
【０００５】
しかし、固定装置が、繰り出された印刷テープを所定の位置となるように挟み込んで固定する際、繰り出された印刷テープの先端部に貼着する固定テープの、フリーとなる他端部が、固定装置に貼着してしまうという課題があった。
【０００６】
固定テープが固定装置に貼着した場合、固定装置は、繰り出された印刷テープを挟み込むことができず、また、挟み込むことができても、所定の位置となる挟み込み方ができないなど、結果として、カッタが、印刷テープを送出口から所定の距離となる位置でカットできないという動作不良が発生してしまう。
【０００７】
なお、固定装置への固定テープのフリーとなる他端部の貼着に限らず、次工程に移行する場合に、固定テープの他端部がフリーとなっていることは、他の装置などに貼着して不具合を発生する原因となるため、固定テープのフリーとなる他端部の処理が課題となっていた。
【課題を解決するための手段】
【０００８】
本発明は、上述した課題の少なくとも一部を解決するためになされたものであり、以下の形態または適用例として実現することが可能である。
【０００９】
（適用例１）テープカートリッジ組立装置は、テープカートリッジに印刷テープを収容した状態で、テープカートリッジの外部に繰り出された印刷テープと、印刷テープの先端部に一端部が貼着されて他端部がフリーとなる印刷テープのほぐれ防止用の固定テープとに対し、繰り出された印刷テープと固定テープとの一方の面方向から送風する第１送風部と、他方の面方向から送風する第２送風部と、を有し、固定テープの他端部を、固定テープの一端部が貼着される印刷テープの逆側の面に折り返すテープカートリッジ組立装置。
【００１０】
このようなテープカートリッジ組立装置によれば、テープカートリッジの外部に繰り出された印刷テープと固定テープとに対し、第１送風部で一方の面方向から送風し、また、第２送風部で他方の面方向から送風する。これにより、どちらか一方の面方向のみの送風だと、どちらか一方の方向にしか屈曲できないことに比べ、印刷テープおよび固定テープの屈曲する方向の自由度が向上する。従って、固定テープの他端部を、固定テープの一端部が貼着される印刷テープの逆側の面に折り返し易くさせることができる。このようにして他端部が折り返された場合、次工程で、固定装置や他の装置などに貼着してしまうという不具合の発生を防止することができる。
【００１１】
（適用例２）上記テープカートリッジ組立装置であって、第１送風部と第２送風部とは、送風位置がずれるように配設されているテープカートリッジ組立装置。
【００１２】
このようなテープカートリッジ組立装置によれば、第１送風部と第２送風部との送風位置がずれるように配設されることにより、印刷テープおよび固定テープの双方を互いに逆側に屈曲することができるため、テープカートリッジ組立装置による折り返し動作を行なわせ易くできる。
【００１３】
（適用例３）上記テープカートリッジ組立装置であって、第１送風部は、繰り出された印刷テープに対し、固定テープが貼着される印刷テープの面と逆側の面方向から送風し、第２送風部は、固定テープの他端部に対し、固定テープが貼着される印刷テープの面方向から送風し、さらに、第１送風部で送風される印刷テープを受ける受部と、第２送風部で送風される他端部を、受部との間に、固定テープの一端部が貼着される印刷テープの逆側の面に、折り返して挟み込み、押圧して貼着する押圧部と、を有して構成されるテープカートリッジ組立装置。
【００１４】
このようなテープカートリッジ組立装置によれば、受部は、第１送風部により固定テープが貼着される印刷テープの面と逆側の面方向から送風されて屈曲する印刷テープを受ける。また、押圧部は、第２送風部で送風されて屈曲する他端部を、第１受部との間に、固定テープの一端部が貼着される印刷テープの逆側の先端部の面に折り返して挟み込み、押圧して貼着する。これにより、固定テープの一端部が貼着される印刷テープの逆側の先端部の面に固定テープのフリーとなる他端部を効率的に折り返して貼着することができる。従って、他端部がフリーとなる固定テープが、次工程で、固定装置や他の装置などに貼着してしまうという不具合の発生を防止することができる。
【００１５】
（適用例４）上記テープカートリッジ組立装置であって、固定テープの折り返し時に、印刷テープの繰り出し方向で、印刷テープより前方から、固定テープに向かって押圧部を移動させる移動部と、固定テープの他端部を受部との間に挟み、折り返すために押圧部を回転させる回転部と、を有して構成されるテープカートリッジ組立装置。
【００１６】
このようなテープカートリッジ組立装置によれば、移動部は、固定テープの他端部の折り返し時に、印刷テープの繰り出し方向で、印刷テープより前方から、固定テープに向かって押圧部を移動させる。これにより、組立ライン上を移動してくるテープカートリッジの繰り出された印刷テープに押圧部が当たらないため、移動動作を阻害することを防止できる。そして、回転部は、固定テープの他端部を、受部との間に挟んで折り返すための押圧部を回転させる。これらにより、押圧部は、無駄が無い動作で、湾曲した固定テープの他端部を従動させながら折り返し、固定テープの一端部が貼着される印刷テープの逆側の面に押圧して貼着させることができる。
【００１７】
（適用例５）上記テープカートリッジ組立装置であって、受部の受面は、印刷テープの繰り出し方向に対し、印刷テープの面との距離を拡大する傾きを有しているテープカートリッジ組立装置。
【００１８】
このようなテープカートリッジ組立装置によれば、受部の受面が、印刷テープの繰り出し方向に対し、印刷テープの面との距離を拡大する傾きを有するため、送風による印刷テープの湾曲形状を面部の傾きに沿わせた形状として、湾曲形状を規制することで、印刷テープの湾曲形状や位置を安定させることができる。また、限られたスペースの中で、印刷テープに対する他端部の変形を大きくすることができる。そのため、押圧部は、安定して固定テープの他端部を従動させて折り返すことができる。
【発明を実施するための最良の形態】
【００１９】
以下、実施形態を図面に基づいて説明する。
（実施形態）
【００２０】
図１は、テープカートリッジに収容する前の印刷テープの状態を示す図であり、（ａ）は、印刷テープの外観斜視図であり、（ｂ）は、（ａ）のＡ部拡大図である。図１を参照して、印刷テープ１０を説明する。
【００２１】
図１に示すように、印刷テープ１０は、略円筒状のテープコア１に巻回されて、印刷テープ１０の先端部１０ａと、先端部１０ａに隣接する隣接部１０ｂとに渡って、巻回した印刷テープ１０がほぐれないように、ほぐれ防止用の固定テープ２０が貼着されている。
【００２２】
なお、固定テープ２０において、印刷テープ１０の先端部１０ａに貼着している領域（固定テープ２０の一端部）を先端側貼着部２０ａと呼称する。また、固定テープ２０において、印刷テープ１０の先端部１０ａに隣接する印刷テープ１０の隣接部１０ｂに貼着している領域（固定テープ２０の他端部）を隣接側貼着部２０ｂと呼称する。
【００２３】
図２は、組立工程において、印刷テープをテープカートリッジに収容した状態での斜視図である。なお、図２に示す斜視図は、組立工程において、テープカートリッジ組立装置１００（図３参照）としての固定テープ折返し装置１０１（図３参照）を用いる固定テープ折返し工程に至る直前のテープカートリッジ３０の状態を示している。図２を参照して、テープカートリッジ３０の構成、および、固定テープ折返し工程に至る直前までの工程の説明を行なう。なお、以降の説明において、テープカートリッジ組立装置１００を、適宜、固定テープ折返し装置１０１として使用する。
【００２４】
最初に、テープカートリッジ３０の構成に関して説明する。
テープカートリッジ３０は、上ケース３１ａと下ケース３１ｂとから構成されるカートリッジケース３１により、その筐体が形成されている。そして、カートリッジケース３１の内部には、テープコア１に巻回された印刷テープ１０が収容される。なお、印刷テープ１０は、カートリッジケース３１の側面で、上ケース３１ａと下ケース３１ｂとに渡って形成された送出口３２から、外部に繰り出された形態となるように収容される。
【００２５】
また、インクリボン３３と、インクリボン３３を繰り出す繰出しコア３４と、インクリボン３３を巻き取る巻取りコア３５とから構成されるインクリボンユニット３６が収容される。そして、プラテンローラ３７が収容される。
【００２６】
なお、このように構成されるテープカートリッジ３０を、印刷テープ１０へ印刷を行なうテープ印刷装置（図示省略）に装着した場合、カートリッジケース３１に形成した貫通開口３８にテープ印刷装置に備わる印刷ヘッド（図示省略）が遊嵌される。そして、印刷テープ１０への印刷は、プラテンローラ３７と印刷ヘッドとの間に印刷テープ１０とインクリボン３３とを挟み込んだ状態で行なわれる。詳細には、プラテンローラ３７が、テープ印刷装置に備わる駆動部（図示省略）によって回転し、印刷テープ１０とインクリボン３３を並走させる。同時に、印刷ヘッドが、テープ印刷装置に備わるヘッド制御部（図示省略）によって通電され、ドット単位で発熱量を制御することにより、インクリボン３３のインク層（図示省略）を印刷テープ１０に熱転写させることで印刷が行なわれる。
【００２７】
なお、印刷された印刷テープ１０は、送出口３２から繰り出され、同時に、インクリボン３３は、巻取りコア３５に巻き取られる。
【００２８】
次に、固定テープ折返し工程に至る直前までの工程に関して説明する。
固定テープ折返し工程に至る直前までの工程は、概略、インクリボンユニット３６の収容工程と、印刷テープ１０の収容工程と、プラテンローラ３７の収容工程と、上ケース３１ａの固定工程とを有している。
【００２９】
インクリボンユニット３６の収容工程では、下ケース３１ｂの所定の部位に、上述したインクリボン３３と繰出しコア３４と巻取りコア３５とから構成されるインクリボンユニット３６が収容される。
【００３０】
次に、印刷テープ１０の収容工程では、テープコア１に巻回された印刷テープ１０に対して、固定テープ２０の隣接側貼着部２０ｂを印刷テープ１０の隣接部１０ｂから剥ぎ、隣接側貼着部２０ｂがフリー（どこにも貼着されていない状態）となった状態で、印刷テープ１０を所定の長さだけほぐし、下ケース３１ｂの所定の部位に収容する。その際、ほぐした印刷テープ１０は、下ケース３１ｂ側の送出口３２に案内して、ほぐした印刷テープ１０が下ケース３１ｂから外部に出る（繰り出した）状態で収容する。
【００３１】
次に、プラテンローラ３７の収容工程では、下ケース３１ｂの所定の部位に、プラテンローラ３７が収容される。そして、上ケース３１ａの固定工程では、下ケース３１ｂの所定の部位に、上ケース３１ａが固定される。なお、上ケース３１ａは、下ケース３１ｂと嵌合されることにより、固定され、テープカートリッジ３０が組み立てられる。
【００３２】
固定テープ折返し工程に至るまでの上述した前工程により、図２に示すテープカートリッジ３０が完成する。図２に示すように、この状態のテープカートリッジ３０は、テープカートリッジ３０の送出口３２から印刷テープ１０が外部に出た（繰り出した）状態で、印刷テープ１０の先端部１０ａには、固定テープ２０の先端側貼着部２０ａが貼着され、かつ、固定テープ２０の隣接側貼着部２０ｂがフリーの状態となっている。
【００３３】
また、テープカートリッジ３０の送出口３２から外部に繰り出された印刷テープ１０は、印刷テープ１０のテープコア１に巻回されていたことによる巻き癖が付いているため、巻き方向に湾曲した状態となっている。なお、上述した組立工程は、組立ライン（図示省略）に沿って設置された略自動化された装置（図示省略）により行なわれる。
【００３４】
ここで、印刷テープ１０および固定テープ２０の構成に関して説明する。
印刷テープ１０は、印刷テープ層１１、粘着層１２および剥離テープ層１３から構成されている。そして、印刷テープ層１１の印刷面１１ａにインクリボン３３のインク層が熱転写（印刷）される。また、固定テープ２０は、固定テープ層２１および粘着層２２から構成されている。そして、印刷テープ層１１の印刷面１１ａ側に固定テープ２０の粘着層２２が貼着され、固定テープ２０が印刷テープ１０に貼着される。
【００３５】
図３は、実施形態に係るテープカートリッジ組立装置の概略平面図である。また、図３は、固定テープ折返し工程に至る直前までの工程が完了した状態（図２に示す状態）のテープカートリッジ３０が、組立ライン上を移動し、固定テープ折返し工程を実施する位置に臨んだ状態を示している。図３を参照して、テープカートリッジ組立装置１００としての固定テープ折返し装置１０１の構成に関して説明する。
【００３６】
固定テープ折返し工程を行なうための固定テープ折返し装置１０１は、第１送風部１１０と第２送風部１３０と受部１２０と押圧部１４０とを有して構成されている。また、固定テープ折返し装置１０１は、テープカートリッジ３０から外部に繰り出されている印刷テープ１０を取り囲む形態で、各々配設されている。
【００３７】
第１送風部１１０は、テープカートリッジ３０から繰り出される印刷テープ１０の送り出し方向（矢印方向）で、繰り出された印刷テープ１０の図示左側に配設されている。第１送風部１１０は、印刷テープ１０の剥離テープ層１３の面部に送風するためのものである。
【００３８】
そして、第１送風部１１０は、図示しない圧空発生源から制御された圧空を導入する送風コネクタ１１１付きの送風ケーブル１１２を有する。そして、第１送風部１１０は、送風コネクタ１１１をコネクトするコネクタ受部１１３と送風ケーブル１１２からの圧空を印刷テープ１０の剥離テープ層１３の面部に送風するための第１送風口１１４とを有する第１送風部本体１１５で構成されている。
【００３９】
受部１２０は、印刷テープ１０の送り出し方向で、繰り出された印刷テープ１０の図示右側に配設されている。受部１２０は、第１送風部１１０による送風で湾曲した印刷テープ１０を受けるためのものであり、印刷テープ１０を挟んで、第１送風部１１０と略相対する位置に配設される。
【００４０】
そして、受部１２０は、略直方体形状に形成された受部本体１２１と、受部本体１２１の側面部で印刷テープ１０の印刷テープ層１１の面側に平面となる受面１２２が形成されて構成されている。この受面１２２は、印刷テープ１０の繰り出し方向に対し、印刷テープ１０の面との距離を拡大する傾きθを有している。なお、送出口３２から繰り出される印刷テープ１０は、上述したように巻き癖を有している。そのため、印刷テープ１０の面との距離を拡大する傾きθを有するとは、テープカートリッジ３０の送出口３２からテープカートリッジ３０外形に略垂直方向となる繰り出し方向に沿って、巻き癖が無い状態の印刷テープ１０が繰り出される場合を基準に、印刷テープ１０の面との距離を拡大する傾きθを有することになる。なお、受面１２２は、概略、第１送風部１１０に対向する印刷テープ１０の位置から印刷テープ１０の先端部１０ａまでの領域を受けるように形成されている。
【００４１】
第２送風部１３０は、繰り出された印刷テープ１０の図示右側で、受部１２０の後段側に隣接して配設されている。第２送風部１３０は、固定テープ２０のフリーとなる隣接側貼着部２０ｂ（他端部）の固定テープ層２１の面部に送風するためのものである。従って、第１送風部１１０と第２送風部１３０とは、送風位置が平面的にずれるように配設されている。
【００４２】
そして、第２送風部１３０は、第１送風部１１０と同様に構成され、図示しない圧空発生源から制御された圧空を導入する送風コネクタ１３１付きの送風ケーブル１３２を有する。そして、第２送風部１３０は、送風コネクタ１３１をコネクトするコネクタ受部１３３と送風ケーブル１３２からの圧空を固定テープ２０の隣接側貼着部２０ｂ（他端部）における固定テープ層２１の面部に送風するための第２送風口１３４とを有する第２送風部本体１３５で構成されている。
【００４３】
押圧部１４０は、繰り出された印刷テープ１０の図示下側（繰り出された印刷テープ１０より前方）に配設されている。押圧部１４０は、固定テープ２０のフリーとなる隣接側貼着部２０ｂを折り返すためのものである。
【００４４】
そして、押圧部１４０は、略直方体形状に形成された押圧部本体１４１と、押圧部本体１４１の側面部に押圧面１４２が形成されて構成されている。
【００４５】
また、押圧部本体１４１の端部には、後述する移動部１６０の押圧部設置台１６１から突出して設置される回転部１５０の回転軸１５１を受け、回転軸１５１に押圧部本体１４１を固定する回転受部１４３が形成されている。
【００４６】
移動部１６０は、回転部１５０および押圧部１４０を所定の位置に移動させるためのものであり、押圧部設置台１６１や、図示しない移動用モータを含む移動用駆動部などを備えている。なお、移動部１６０は、移動用駆動部の駆動により、折り返しを行なう場合の所定の位置となる折り返し位置と、折り返しを行なわない場合の初期位置とを往復して移動する。
【００４７】
回転部１５０は、移動部１６０に設置されており、回転軸１５１や、図示しない回転用モータを含む回転用駆動部などを備えている。なお、回転部１５０は、移動部１６０が折り返し位置となった場合、回転軸１５１を回転させて押圧部本体１４１を回転させる。
【００４８】
なお、第１送風部１１０、第２送風部１３０および受部１２０は、テープカートリッジ３０が、組立ライン上を移動して固定テープ折返し工程を実施する位置に臨む前までは、図示しない駆動部により、繰り出された印刷テープ１０の移動を妨害しない位置（図面に垂直で上方向）に移動している。そして、テープカートリッジ３０が、固定テープ折返し工程を実施する位置に臨んだ場合には、駆動部により、固定テープ折返し工程を実施できる上述した位置に移動する。
【００４９】
また、固定テープ折返し工程が終了した場合には、駆動部により、固定テープ折返し工程が終了したテープカートリッジ３０の次工程への移動を妨害しない位置に再度移動して、次の固定テープ折返し工程を行なうテープカートリッジ３０を待つ状態となる。
【００５０】
なお、固定テープ折返し装置１０１には、上述した各部の動作を統括して制御するための、図示しない制御部が備わっている。
【００５１】
図４は、固定テープ折返し装置の移動部が移動する場合の動作説明図である。図５は、固定テープ折返し装置の回転部が押圧部を回転させる場合の動作説明図である。図６は、固定テープ折返し装置の押圧部が固定テープを折り返す場合の動作説明図である。図７は、固定テープ折返し装置の動作が終了した場合の動作説明図である。図４〜図７を参照して、テープカートリッジ組立装置１００としての固定テープ折返し装置１０１の動作を説明する。
【００５２】
図４に示すように、テープカートリッジ３０が、固定テープ折返し工程を実施する位置に臨んだ状態となった場合、図示しない駆動部により、第１送風部１１０、第２送風部１３０および受部１２０が、固定テープ折返し工程が実施できる上述した位置に移動する。
【００５３】
そして、第１送風部１１０は、第１送風口１１４から前方に位置する印刷テープ１０の剥離テープ層１３の面部に送風を開始する。印刷テープ１０は、第１送風部１１０からの送風により受部１２０方向に湾曲して移動し、受部１２０に形成される傾きθを有する受面１２２に当接した後、受面１２２に沿う形状で湾曲する。
【００５４】
また、同時に、第２送風部１３０が、第２送風口１３４から前方に位置する固定テープ２０の隣接側貼着部２０ｂ（他端部）における固定テープ層２１の面部に送風を開始する。それにより、固定テープ２０の隣接側貼着部２０ｂは、印刷テープ１０の湾曲方向とは逆方向に湾曲する。
【００５５】
また、第１送風部１１０と第２送風部１３０とが送風を開始した状態で、移動部１６０が初期位置（図中二点鎖線で示す）から折り返し位置（図中実線で示す）への移動を開始する。なお、押圧部１４０は、移動部１６０が折り返し位置に達した状態では、湾曲した固定テープ２０の隣接側貼着部２０ｂには接触せず、押圧部１４０の初期位置（印刷テープ１０の繰り出し方向と略直角な方向）を保持している。
【００５６】
移動部１６０が折り返し位置への移動を終了した場合、次に、図５に示すように、回転部１５０が回転軸１５１を回転する動作を開始する。この動作により、回転軸１５１に固定される押圧部１４０が、初期位置（図中二点鎖線で示す）から回転を開始する。
【００５７】
押圧部１４０が、回転を開始した場合、最初に、押圧部１４０の押圧面１４２に湾曲する固定テープ２０の隣接側貼着部２０ｂの先端が当接する。そして、第２送風部１３０により送風されると共に押圧部１４０の回転が進むことに従動して、隣接側貼着部２０ｂが押圧面１４２に沿って折り返されながら移動する。
【００５８】
そして、図６に示すように、押圧部１４０が、押圧面１４２に沿って隣接側貼着部２０ｂを折り返す動作を伴い、図中二点鎖線で示す位置から回転が進んだ場合、最終的には、実線で示す状態となる。詳細には、押圧部１４０の押圧面１４２が、折り返した状態の隣接側貼着部２０ｂを、受部１２０の受面１２２との間に、固定テープ２０の一端部となる先端側貼着部２０ａが貼着される印刷テープ１０の逆側の面となる剥離テープ層１３の面部に挟み込み、押圧する状態となる。なお、第１送風部１１０および第２送風部１３０はこの状態となるまで送風し続け、その後は、送風を終了する。
【００５９】
この動作により、折り返した状態の隣接側貼着部２０ｂが、印刷テープ１０の先端部１０ａに位置する剥離テープ層１３の面部に貼着される。これより、固定テープ２０は、印刷テープ１０の先端部１０ａを、先端側貼着部２０ａと折り返した隣接側貼着部２０ｂとで覆う形態となる。
【００６０】
そして、図７に示すように、隣接側貼着部２０ｂを折り返して印刷テープ１０の先端部１０ａに位置する剥離テープ層１３の面部に貼着した場合、回転部１５０は、回転軸１５１を初期位置に戻すために逆回転させる。この動作に連動して、押圧部１４０は、初期位置に回転して戻る。同時に、移動部１６０も初期位置に戻る動作を行なう。この一連の動作により、固定テープ折返し工程が終了する。
【００６１】
そして、第１送風部１１０、第２送風部１３０および受部１２０は、固定テープ２０が折り返され、固定テープ折返し工程が終了したテープカートリッジ３０の次工程への移動を妨害しない位置に移動して、次の固定テープ折返し工程を行なうテープカートリッジ３０を待つ状態となる。
【００６２】
なお、隣接側貼着部２０ｂを折り返して印刷テープ１０の先端部１０ａに位置する剥離テープ層１３の面部に貼着したテープカートリッジ３０は、次工程として、送出口３２から所定の距離となる位置で印刷テープ１０を切断する工程に移行する。この工程では、従来の固定装置（図示省略）を用いて、繰り出された印刷テープ１０を所定の位置となるように挟み込んで固定する。そして、ハサミ形式のカッタ（図示省略）を用いて、送出口３２から所定の距離となる位置で印刷テープ１０を切断する。
【００６３】
上述した、実施形態によれば以下の効果が得られる。
（１）本実施形態のテープカートリッジ組立装置１００としての固定テープ折返し装置１０１は、繰り出された印刷テープ１０の先端部１０ａに貼着される固定テープ２０のフリーとなる隣接側貼着部２０ｂに対して、第１送風部１１０で印刷テープ１０を剥離テープ層１３側から送風する。そして第２送風部１３０で隣接側貼着部２０ｂを固定テープ層２１側から送風する。第１送風部１１０の送風により受部１２０の受面１２２に印刷テープ１０が沿った形状で湾曲する。また、移動部１６０および回転部１５０により、押圧部１４０が回転することで、隣接側貼着部２０ｂが押圧面１４２に沿って折り返される。そして、押圧面１４２が、受部１２０の受面１２２との間に、折り返した隣接側貼着部２０ｂを印刷テープ１０の先端部１０ａの剥離テープ層１３に挟み込んで押圧することにより、隣接側貼着部２０ｂを印刷テープ１０の先端部１０ａの剥離テープ層１３に貼着することができる。
これにより、固定テープ２０の隣接側貼着部２０ｂが剥離テープ層１３に貼着するため、隣接側貼着部２０ｂがフリーとなることを防止できる。従って、次工程に移行する際の組立ライン移動中に、組立ラインやその周囲の構成部（装置）などに固定テープ２０の隣接側貼着部２０ｂが貼着することがなく、移動を妨げることを防止することができる。また、特に、次工程で、固定装置に貼着するという不具合の発生を防止することができる。
【００６４】
（２）本実施形態のテープカートリッジ組立装置１００としての固定テープ折返し装置１０１によれば、移動部１６０は、固定テープ２０の隣接側貼着部２０ｂの折り返し時に、押圧部１４０を印刷テープ１０の繰り出し方向で、印刷テープ１０より前方から、固定テープ２０に向かって移動させる。これにより、組立ライン上を移動してくるテープカートリッジ３０の繰り出された印刷テープ１０に押圧部１４０が当たって、移動動作を阻害することを防止できる。そして、回転部１５０は、回転軸１５１を駆動し、固定テープ２０の隣接側貼着部２０ｂを、受部１２０の受面１２２との間に挟んで折り返すための押圧部１４０を回転させる。
これらにより、押圧部１４０は、無駄が無い動作で、湾曲した固定テープ２０の隣接側貼着部２０ｂを、押圧部１４０の回転に従動させながら折り返し、固定テープ２０の先端側貼着部２０ａが貼着される印刷テープ１０の逆側の面（剥離テープ層１３の面）に押圧して貼着させることができる。
【００６５】
（３）本実施形態のテープカートリッジ組立装置１００としての固定テープ折返し装置１０１によれば、受部１２０の受面１２２は、印刷テープ１０の繰り出し方向に対し、印刷テープ１０の面との距離を拡大する傾きθを有している。それにより、第１送風部１１０からの送風による印刷テープ１０の湾曲形状を受面１２２の傾きθに沿わせた形状として、湾曲形状を規制することで、印刷テープ１０の湾曲形状や位置を安定させることができる。また、限られたスペースの中で、印刷テープ１０に対する隣接側貼着部２０ｂの変形を大きくさせることができる。そのため、隣接側貼着部２０ｂを折り返し易くさせることができ、押圧部１４０は、安定して固定テープ２０の隣接側貼着部２０ｂを従動させて折り返すことができる。
【００６６】
（４）本実施形態のテープカートリッジ組立装置１００としての固定テープ折返し装置１０１は、第１送風部１１０と第２送風部１３０と受部１２０と押圧部１４０とを有して構成（詳細には、移動部１６０および回転部１５０も含む）される。また、テープカートリッジ３０が、組立ライン上を移動し、固定テープ折返し工程を実施する位置に臨んだ場合、各部は、テープカートリッジ３０から外部に繰り出されている印刷テープ１０を取り囲む形態で配設されている。また、受部１２０の受面１２２は、印刷テープ１０の繰り出し方向に対し、印刷テープ１０の面との距離を拡大する傾きθを有し、印刷テープ１０に対する隣接側貼着部２０ｂの変形を大きくさせて、隣接側貼着部２０ｂを折り返し易くさせている。これらにより、固定テープ折返し装置１０１の省スペース化を図ることができ、また、効率的に、固定テープ２０の隣接側貼着部２０ｂを折り返すことができる。
【００６７】
（５）本実施形態のテープカートリッジ組立装置１００としての固定テープ折返し装置１０１は、第１送風部１１０と第２送風部１３０とを有している。そして、テープカートリッジ３０の外部に繰り出された印刷テープ１０と固定テープ２０とに対し、第１送風部１１０で一方の面方向（印刷テープ１０の剥離テープ層１３の面方向）から送風する。また、第２送風部１３０で他方の面方向（印刷テープ１０の印刷テープ層１１の面であり、詳細には、印刷テープ層１１に貼着する固定テープ２０の固定テープ層２１の面方向）から送風する。
これにより、どちらか一方の面方向のみの送風だと、どちらか一方の方向にしか屈曲できないことに比べ、印刷テープ１０および固定テープ２０の屈曲する方向の自由度が向上する。そして、固定テープ２０の隣接側貼着部２０ｂを、固定テープ２０の先端側貼着部２０ａが貼着される印刷テープ１０の逆側の面（剥離テープ層１３の面）に折り返し易くさせることができる。このようにして隣接側貼着部２０ｂが折り返された場合、次工程で、固定装置や他の装置などに貼着することを防止できる。また、第１送風部１１０および第２送風部１３０を構成し、その送風を利用して印刷テープ１０や固定テープ２０を屈曲させて、隣接側貼着部２０ｂを折り返し易くさせることができるため、屈曲させるための複雑な機械的装置が必要なくなり、固定テープ折返し装置１０１を、本実施形態のように簡易な構成部で構成できる。
【００６８】
（６）本実施形態のテープカートリッジ組立装置１００としての固定テープ折返し装置１０１は、送風位置をずらすように、第１送風部１１０と第２送風部１３０とを配設している。従って、印刷テープ１０および固定テープ２０の双方を互いに逆側に屈曲させることができるため、固定テープ折返し装置１０１の折り返し動作を行なわせ易くできる。
【図面の簡単な説明】
【００６９】
【図１】テープカートリッジに収容する前の印刷テープの状態を示す図であり、（ａ）は、印刷テープの外観斜視図であり、（ｂ）は、（ａ）のＡ部拡大図。
【図２】組立工程において、印刷テープをテープカートリッジに収容した状態での斜視図。
【図３】実施形態に係るテープカートリッジ組立装置の概略平面図。
【図４】固定テープ折返し装置の移動部が移動する場合の動作説明図。
【図５】固定テープ折返し装置の回転部が押圧部を回転させる場合の動作説明図。
【図６】固定テープ折返し装置の押圧部が固定テープを折り返す場合の動作説明図。
【図７】固定テープ折返し装置の動作が終了した場合の動作説明図。
【符号の説明】
【００７０】
１０…印刷テープ、１０ａ…先端部、１０ｂ…隣接部、２０…固定テープ、２０ａ…先端側貼着部、２０ｂ…隣接側貼着部、３０…テープカートリッジ、３１ｂ…下ケース、３２…送出口、１００…テープカートリッジ組立装置、１０１…固定テープ折返し装置、１１０…第１送風部、１２０…受部、１２２…受面、１３０…第２送風部、１４０…押圧部、１４２…押圧面、１５０…回転部、１５１…回転軸、１６０…移動部、θ…傾き。
【図１】
2008308305.tif 000003
【図２】
2008308305.tif 000004
【図３】
2008308305.tif 000005
【図４】
2008308305.tif 000006
【図５】
2008308305.tif 000007
【図６】
2008308305.tif 000008
【図７】
2008308305.tif 000009